(57)【要約】【課題】中空ループ部の肌へのフィット性が安定に維持されると共に中空ループ部の内方への倒れ込みが防止され、装着感及び防漏性に優れる吸収性物品を提供すること。【解決手段】表面シート２、裏面シート３及び吸収体４を有する実質的に縦長の吸収性物品１であり、長手方向の両側に、第１及び第２中空ループ部７，８を有する立体防漏部６を有する。第１及び第２中空ループ部７，８は、互いに隣接して設けられ、頂部７１，８１から、幅方向内方に向かって延在する内壁７２，８２と、幅方向外方に向かって延在する外壁７３，８３とを有している。第１中空ループ部７は、内壁７２の下端が吸収体の肌対向面側に固定され、中空部分７４が主として吸収体４上に位置する。第２中空ループ部８は、外壁８３の下端が第１中空ループ部７の内壁７２の下端よりも裏面シート３側に位置する部位に固定され、中空部分８４が吸収体の側縁４３の外方に存在している。【選択図】図２
2010094269.tif 000002
【特許請求の範囲】
【請求項１】
表面シート、裏面シート及びこれら両シート間に位置する吸収体を有する実質的に縦長の吸収性物品であって、
吸収性物品の長手方向の両側それぞれに、第１及び第２中空ループ部を有する立体防漏部を有しており、
前記各立体防漏部における第１及び第２中空ループ部は、互いに隣接して設けられ、それぞれ、頂部から吸収性物品の幅方向内方に向かって延在する内壁と、該頂部から吸収性物品の幅方向外方に向かって延在する外壁とを有しており、
第１中空ループ部は、内壁の下端が前記吸収体の肌対向面側に固定され、内部の中空部分が主として該吸収体上に位置しており、
第２中空ループ部は、外壁の下端が、第１中空ループ部の内壁の下端よりも裏面シート側に位置する部位に固定され、内部の中空部分が、前記吸収体の側縁の外方に存在している吸収性物品。
【請求項２】
第１中空ループ部の外壁と第２中空ループ部の内壁とが固定されている請求項１記載の吸収性物品。
【請求項３】
第１中空ループ部の外壁と第２中空ループ部の内壁とが一体化されて共通する隔壁を形成している請求項１又は２記載の吸収性物品。
【請求項４】
第１中空ループ部の外壁及び／又は第２中空ループ部の内壁に、該外壁及び／又は該内壁の一部を中空部分に向かって折り込み、相対向した面どうしを接合した折り込み接合部が形成されている請求項１又は２記載の吸収性物品。
【請求項５】
吸収性物品の平面視において、第１中空ループ部の幅が第２中空ループ部の幅より狭い請求項１〜４のいずれかに記載の吸収性物品。
【発明の詳細な説明】
【技術分野】
【０００１】
本発明は、生理用ナプキンや失禁パッド等の吸収性物品に関する。
【背景技術】
【０００２】
従来、着用中に経血等の体液が幅方向に移動して側縁部から漏れてしまう横漏れを防止するため、長手方向両側縁部それぞれに防漏壁を設けた生理用ナプキンが知られている。
また、防漏壁の着用者へのフィット性を高める為に、中空のループ形状の防漏壁を設けることもれている（引用文献１参照）。
しかし、従来の中空ループ形状の防漏壁は、柔軟である反面、生理用ナプキンの着用時に左右両側からの圧力を受けると、幅方向の内方に倒れ込みやすく、吸収可能な領域の幅が狭くなる等の不都合があった。
【０００３】
特許文献２には、体液排出部対応部位において起立する立体ギャザー構成要素と、臀部側対応部位において起立する立体ギャザー構成要素とを、重なり範囲が重なり代を有するように、吸収性物品の長手方向に位置をずらして設けた吸収性物品が提案されている。
しかし、その吸収性物品における立体ギャザーは、いずれも中空のループ形状の防漏壁を形成するものではなく、また、２組の立体ギャザー同士が互いの起立性を向上させるものでもない。
【０００４】
特許文献３には、弾性伸縮シートを複数回折り返し、その折り返し部分の基端部をそれぞれ吸収性物品の表面に接合して、吸収性物品の側部に複数の防漏壁を形成させた吸収性物品が記載されている。
しかし、この吸収性物品の防漏壁においても、柔軟性に劣ると共に、着用時に左右両側からの圧力を受けたときに、吸収性物品の幅方向の内方に倒れ込みやすい。
【０００５】
【特許文献１】特開平１１−２９９８２１号公報
【特許文献２】特開２００６−２８０５８３号公報
【特許文献３】特許第３８５０６１８号公報
【発明の開示】
【発明が解決しようとする課題】
【０００６】
従って、本発明の目的は、中空ループ部の肌へのフィット性が安定に維持されると共に中空ループ部の吸収性物品幅方向内方への倒れ込みが防止され、装着感及び防漏性に優れる吸収性物品を提供することにある。
【課題を解決するための手段】
【０００７】
本発明は、表面シート、裏面シート及びこれら両シート間に位置する吸収体を有する実質的に縦長の吸収性物品であって、吸収性物品の長手方向の両側それぞれに、第１及び第２中空ループ部を有する立体防漏部を有しており、前記各立体防漏部における第１及び第２中空ループ部は、互いに隣接して設けられ、それぞれ、頂部から吸収性物品の幅方向内方に向かって延在する内壁と、該頂部から吸収性物品の幅方向外方に向かって延在する外壁とを有しており、第１中空ループ部は、内壁の下端が前記吸収体の肌対向面側に固定され、内部の中空部分が主として該吸収体上に位置しており、第２中空ループ部は、外壁の下端が、第１中空ループ部の内壁の下端よりも下方裏面シート側に位置する部位に固定され、内部の中空部分が、前記吸収体の側縁の外方に存在している吸収性物品を提供することにより前記目的を達成したものである。
【発明の効果】
【０００８】
本発明の吸収性物品は、中空ループ部の肌へのフィット性が安定に維持されると共に中空ループ部の吸収性物品幅方向内方への倒れ込みが防止され、装着感及び防漏性に優れるものである。
【発明を実施するための最良の形態】
【０００９】
以下、本発明をその好ましい実施形態に基づいて説明する。
第１実施形態の生理用ナプキン１は、図１に示すように、生理用ナプキン１の長手方向に延びる中心線ＣＬに対して左右対称に形成されている。従って、以下には、主として生理用ナプキン１の図１中右側の構成について詳述する。左側の構成については、右側と左右対称の構成を有している。
【００１０】
生理用ナプキン１は、図１及び図２に示すように、表面シート２、裏面シート３及び両シート２，３間に位置する吸収体４を有し、実質的に縦長に形成されている。そして、生理用ナプキン１の長手方向の両側それぞれに、第１及び第２中空ループ部７，８を有する立体防漏部６，６を有している。
図２に示すように、各立体防漏部６における第１及び第２中空ループ部７，８は、互いに隣接して設けられている。第１中空ループ部７は、第２中空ループ部８よりも生理用ナプキン１の幅方向（図２中Ｘ方向）における内方側（前記中心線ＣＬ側）に位置している。
第１及び第２中空ループ部７，８は、それぞれは、頂部７１，８１からナプキン１の幅方向内方に向かって延在する内壁７２，８２と、該頂部７１，８１からナプキン１の幅方向外方に向かって延在する外壁７３，８３とを有している。
【００１１】
そして、第１中空ループ部７は、内壁７２の下端７２ａが吸収体４の肌対向面４１側に固定され、内部の中空部分７４が主として該吸収体４上に位置している。
また、第２中空ループ部８は、外壁８３の下端８３ａが、第１中空ループ部７の内壁７２の下端７２ａよりも下方（図２中Ｚ方向の下方，裏面シート側）に位置する部位に固定され、内部の中空部分８４が、吸収体４の側縁４３（長手方向の側縁）の外方に存在している。また、第２中空ループ部８の内部の中空部分８４は、吸収体４の肌対向面４１の上下に亘って存在している。
【００１２】
吸収体４の肌対向面４１とは、ナプキン１の厚み方向（図２中のＺ方向）の上下面のうち、着用時に着用者の肌側に向けられる面であり、第１中空ループ部７の内外壁７２，７３の下端７２ａ，７３ａや第２中空ループ部８の内壁８２の下端８２ａ等が、吸収体４の肌対向面４１側に固定されている態様には、それらが、吸収体４の肌対向面４１に直接接合されている場合の他、吸収体４の肌対向面４１上に配された他のシート材（表面シート２等）に固定されている場合も含まれる。
第１中空ループ部７の中空部分７４が主として吸収体４上に位置しているという場合の吸収体４上とは、吸収性物品の幅方向において、吸収体４と重なる部位（図２における直線４Ａより左側）で、且つ吸収体４の肌対向面４１よりも上方に位置する部位（図２における直線４Ｂより上側）である。第１実施形態においては、中空部分７４の断面積の全体が吸収体４上に位置している。第１中空ループ部７の中空部分７４は、その断面積の５０％以上が吸収体４上に位置していることが好ましく、吸収体４上に位置している部分が、中空部分７４の断面積の６０％、７０％、８０％、９０％以上が、この順に更に好ましい。中空部分７４の断面積は、図２に示すように、自然状態におけるナプキンの幅方向の断面における断面積である。
第２中空ループ部８の中空部分８４が、吸収体４の肌対向面４１の上下に亘って存在しているという場合の吸収体４の肌対向面４１には、吸収体４の肌対向面４１を水平方向に延長した面が含まれる。
【００１３】
第１実施形態の生理用ナプキン１について更に詳述する。
生理用ナプキン１は、図１及び図２に示すように、液透過性の表面シート２、液不透過性又は撥水性の裏面シート３、及び該両シート間２，３に位置する吸収体４を有している。表面シート２、裏面シート３及び吸収体４は、積層一体化されて吸収性本体５を構成している。立体防漏部６，６それぞれは、吸収性本体５の長手方向の両側部５ａ，５ａに、それぞれに防漏部形成部材６０を接合して形成されている。
【００１４】
吸収体４とその肌側の面を被覆する表面シート２との間は、図示しない接着剤及び防漏溝１１によって接合されている。また、吸収体４と裏面シート３との間は、ナプキン１の幅方向中央領域において接着剤９１によって接合されている。
生理用ナプキン１は、実質的に縦長の形状を有している。実質的に縦長の形状は、ウイング部１２，１２を有する場合、それらを除いた部分が縦長であれば良い。
生理用ナプキン１は、その長手方向における中央部より前寄りの位置に一対のウイング部１２，１２を有している。ウイング部１２，１２それぞれの裏面には、該ウイング部１２を、ショーツのクロッチ部の非肌対向面に固定するための粘着部１３が形成されている。
【００１５】
立体防漏部６，６は、生理用ナプキン１の長手方向における、排泄部領域Ａ及び該排泄部領域Ａよりやや後方に位置する後方領域Ｂにおいて少なくとも起立している。
排泄部領域Ａは、吸収性物品（生理用ナプキン１）の幅方向中央部に、着用者の液排泄部（膣口等）が対向配置される部位である。本実施形態の生理用ナプキン１のように、ウイング部１２，１２を有する吸収性物品における排泄部領域Ａは、通常、吸収性物品（生理用ナプキン１）の長手方向においてウイング部１２，１２を有する領域である。。
後方領域Ｂは、吸収性物品（生理用ナプキン１）の長手方向において、排泄部領域Ａと後端部Ｄとの間に位置する部位である。本実施形態の生理用ナプキン１のように、ウイング部１２，１２を有する吸収性物品における後方領域Ｂは、吸収性物品（生理用ナプキン１）の長手方向においてウイング部１２，１２を有する領域Ａに隣接してその後方に位置する長さ７ｃｍ程の領域である。
【００１６】
生理用ナプキン１における立体防漏部６，６は、吸収性本体５の長手方向の両側部５ａ，５ａそれぞれに、防漏部形成部材６０を接合して形成されている。
防漏部形成部材６０は、図２に示すように、実質的に非伸長性の２枚のシート６２，６３間が、両者間に複数本の弾性部材６４を伸長状態で挟んだ状態で、ホットメルト型接着剤等の接着剤（図示せず）を介して貼り合わされてなる。
【００１７】
第１実施形態における立体防漏部６は、図２に示すように、第１中空ループ部７の内壁７２の下端７２ａが、吸収体４の肌対向面４１を被覆する表面シート２上に接着剤９２を介して固定され、第２中空ループ部８の外壁８３の下端８３ａが、吸収体４の非肌対向面４２側に接着剤９３を介して固定されている。第２中空ループ部８の外壁８３の下端８３ａは、接着剤９４を介して裏面シート３にも固定されている。
他方、第１中空ループ部７の外壁７３と第２中空ループ部８の内壁８２とは、それぞれの下部が、一体化されて共通する一枚の隔壁７５を形成している。そして、その隔壁７５を形成する一体化された外壁７３及び内壁８２の下端７３ａ，８２ａが、吸収体４の肌対向面４１側に接着剤９５を介して固定されている。
【００１８】
第１及び第２中空ループ部７，８それぞれには、それぞれの長手方向に沿って複数本の弾性部材６４が配されており、ナプキン１の自然状態においては、それらの弾性部材６４の収縮によって、第１及び第２中空ループ部７，８が起立する。起立した第１及び第２中空ループ部７，８における、内壁７２，８２と外壁７３，８３とは、それぞれの頂部７１，８１において、断面円弧状に連なっており、第１及び第２中空ループ部７，８の上部は、肌側に向かって凸の凸曲面状をなしている。
【００１９】
第１実施形態における立体防漏部６は、後方領域Ｂにおいても、図２に示す排泄部領域Ａと同様の断面構造を有している。他方、ナプキン１の前後端部Ｃ，Ｄにおいては、防漏部形成部材６０が、ナプキンの厚み方向に折り畳むか潰された状態で、吸収性本体５等に固定されている。
【００２０】
第１実施形態の生理用ナプキン１によれば、着用者の足の動き等により、ナプキン１の着用中に、ナプキンの幅方向外方からが外力が加わった場合、隣接する中空ループ部の相互作用により応力が緩和される。また、第２ループ部８が、吸収体４の側面４３方向に押し潰されても、吸収体４の肌対向面４１上に位置する第１ループ部７によって、第２ループ部８が吸収面上に倒れ込むことも防止される。
また、着用者の肌により上方から外力が加わった場合にも、隣接する中空ループ部の相互作用により応力が緩和される。また、上方からの圧力により、第１ループ部７及び第２ループ部８の何れかが潰れた場合であっても、一方が他方の回復を促進し、何れも上方に凸の凸曲面状に回復ないし復帰し易い。
このような作用により、第１実施形態の生理用ナプキン１によれば、中空ループ部の肌へのフィット性が安定に維持されると共に中空ループ部のナプキン幅方向内方への倒れ込みが防止され、優れた、装着感及び防漏性が得られる。
【００２１】
第１実施形態の生理用ナプキン１においては、上述したように、第１中空ループ部７の外壁７３の下端７３ａも、吸収体４の肌対向面４１側に固定されている。これにより、第１ループ部７の形態安定性あるいは潰れた状態からの復元性が向上し、第１ループ部７がナプキンの幅方向内方に倒れ込むことが一層防止されると共に、第１ループ部７と一部が一体化されている第２ループ部８の潰れた状態からの回復・復元性も一層向上する。
【００２２】
また、第１実施形態の生理用ナプキン１は、ナプキン１の平面視において、第１中空ループ部７の幅Ｗ７（図２参照）が第２中空ループ部８の幅Ｗ８（図２参照）より狭くなっている。これにより、第１ループ部７の形態安定性あるいは潰れた状態からの復元性が向上し、第１ループ部７がナプキンの幅方向内方に倒れ込むことが一層防止されると共に、第１ループ部７と一部が一体化されている第２ループ部８の潰れた状態からの回復・復元性も一層向上する。
【００２３】
第１中空ループ部７及び第２中空ループ部８それぞれの内面を構成するシート６２及び外面を構成するシート６３は、何れか一方又は両方が撥水性又は液不透過性であることが好ましい。
第１実施形態で用いた防漏部形成部材６０は、特開２００３−３３３９１号公報に記載の方法や、特開２００４−１８０７８７号公報に記載の方法等により、効率よく製造することができる。
【００２４】
本実施形態の生理用ナプキン１の形成材料について説明する。
上記表面シート２、上記裏面シート３及び上記吸収体４としては、生理用ナプキン等の吸収性物品に従来用いられているもの等を、特に制限なく用いることができる。例えば、表面シート２としては、液透過性の不織布や、開孔フィルム等を用いることができ、裏面シート３としては、樹脂フィルムや樹脂フィルムと不織布の積層体等を用いることができる。吸収体４としては、パルプ等の繊維材料の繊維集合体又はこれに高吸収性ポリマーを担持させたものからを、ティッシュペーパーや透水性の不織布等の被覆材で包んでなるもの等を用いることができる。
【００２５】
次に、本発明の他の実施形態について説明する。他の実施形態については、上述した第１実施形態との相違点について主として説明し、同様の点については、説明を省略する。特に説明しない点については、第１実施形態と同様であり、第１実施形態についての説明が適宜適用される。
【００２６】
第２実施形態の生理用ナプキン１Ａにおいては、図３に示すように、第１中空ループ部７の外壁７３と第２中空ループ部８の内壁８２とが、接着剤９６を介して接合されて一体化されている。第１中空ループ部７の外壁７３の下端７３ａ及び第２中空ループ部８の内壁８２の下端８２ａは、それぞれ、接着剤９５，９６を介して吸収体４の肌対向面４１側に固定されている。
第２実施形態の生理用ナプキン１Ａによれば、第１中空ループ部７の外壁７３と第２中空ループ部８の内壁８２とが一体化され、両中空ループ部７，８同士が効果的に相互作用するため、第１実施形態と同様の作用効果が奏し得られる。
【００２７】
第３実施形態の生理用ナプキン１Ｂにおいては、図４に示すように、第１中空ループ部７の外壁７３に、該外壁７３の一部を中空部分７４に向かって折り込み、相対向した面どうしを接着剤７７により接合した折り込み接合部７６が形成されている。
図５に示す第４実施形態においては、第２中空ループ部８の内壁８２に、該内壁８２の一部を中空部分８４に向かって折り込み、相対向した面どうしを接着剤８６により接合した折り込み接合部８５が形成されている。
第３実施形態の折り込み接合部７６及び第４実施形態の折り込み接合部８５は、何れも、第１中空ループ部７の外壁７３と第２中空ループ部８の内壁８２との離間を困難とする手段である。
【００２８】
第３及び第４実施形態の生理用ナプキン１Ｂ，１Ｃによれば、着用者の足の動き等により、ナプキンの着用中に、ナプキンの幅方向外方からが外力が加わった場合、隣接する中空ループ部の相互作用により応力が緩和される。また、第２ループ部８が、吸収体４の側面４３方向に押し潰されても、吸収体４の肌対向面４１上に位置する第１ループ部７によって、第２ループ部８が吸収面上に倒れ込むことも防止される。
また、着用者の肌により上方から外力が加わった場合にも、隣接する中空ループ部の相互作用により応力が緩和される。また、上方からの圧力により、第１ループ部７及び第２ループ部８の何れかが潰れた場合であっても、第３実施形態においては第１中空ループ部７の外壁７３が第２中空ループ部８の内壁８２に押しつけられ、第４実施形態においては第２中空ループ部８の内壁８２が第１中空ループ部７の外壁７３に押しつけられ、第１及び第２中空ループ部７，８が相互に干渉する状態に維持され易いため、何れか一方又は両方が、比較的潰れない状態を維持して、着用者の肌にフィットした状態を維持し易い。
このような作用により、第３，４実施形態の生理用ナプキンによれば、中空ループ部の肌へのフィット性が安定に維持されると共に中空ループ部のナプキン幅方向内方への倒れ込みが防止され、優れた、装着感及び防漏性が得られる。
【００２９】
第３，４実施形態の生理用ナプキン１Ｂ，１Ｃにおいても、第１中空ループ部７の外壁７３の下端７３ａが、吸収体４の肌対向面４１側に固定されており、また、ナプキンの平面視において、第１中空ループ部７の幅が第２中空ループ部８の幅より狭い。そのため、第１ループ部７の形態安定性あるいは潰れた状態からの復元性が向上し、第１ループ部７がナプキンの幅方向内方に倒れ込むことが一層防止される。
【００３０】
図６に示す第５実施形態の生理用ナプキン１Ｄにおいては、第１実施形態の生理用ナプキン１と同様に、第１中空ループ部７の外壁７３と第２中空ループ部８の内壁８２とが、それぞれの下部において、一体化されて共通する一枚の隔壁７５を形成している。そして、その隔壁７５を形成する一体化された外壁７３及び内壁８２の下端７３ａ，８２ａが、吸収体４の非肌対向面４２側に接着剤９５を介して固定されている。
図７に示す第６実施形態の生理用ナプキン１Ｅにおいては、第２実施形態の生理用ナプキン１と同様に、第１中空ループ部７の外壁７３と第２中空ループ部８の内壁８２とが、接着剤９６を介して一体化されている。そして、第１中空ループ部７の外壁７３の下端７３ａ及び第２中空ループ部８の内壁８２の下端８２ａは、それぞれ、吸収体４の非肌対向面４２側に接着剤９３を介して固定されている。
【００３１】
第５及び第６実施形態の生理用ナプキン１Ｄ，１Ｅによれば、着用者の足の動き等により、ナプキンの着用中に、ナプキンの幅方向外方からが外力が加わった場合、隣接する中空ループ部の相互作用により応力が緩和される。また、第２ループ部８が、吸収体４の側面４３方向に押し潰されても、吸収体４の肌対向面４１上に位置する第１ループ部７によって、第２ループ部８が吸収面上に倒れ込むことも防止される。
また、着用者の肌により上方から外力が加わった場合にも、隣接する中空ループ部の相互作用により応力が緩和される。また、上方からの圧力により、第１ループ部７及び第２ループ部８の何れかが潰れた場合であっても、一方が他方の回復を促進し、何れも上方に凸の凸曲面状に回復ないし復帰し易い。
このような作用により、第５及び第６実施形態の生理用ナプキン１Ｄ，１Ｅによれば、中空ループ部の肌へのフィット性が安定に維持されると共に中空ループ部のナプキン幅方向内方への倒れ込みが防止される。
【００３２】
また、第５及び第６実施形態の生理用ナプキン１Ｄ，１Ｅにおいては、第１中空ループ部７の幅が第２中空ループ部８の幅より広い。そのため、上方から外力が加わった場合に、広い面幅で着用者の肌にフィットし、防漏性、フィット性、装着感も低下しにくい。
【００３３】
加えて、第１中空ループ部７が吸収体４上に存在する第１実施形態、第２実施形態、第３実施形態、第４実施形態と比較すると、第１中空ループ部７が吸収体側部にまで延在する第５実施形態、第６実施形態は該ループ部の形状安定性は劣るものの、第１ループ部外壁が吸収体側部に存在することで、吸収体からの液の滲み出しが著しく改善される。
【００３４】
本発明は、上述した実施形態に制限されず、種々変更が可能である。
例えば、上述した各実施形態においては、実質的に非伸長性の２枚のシート６２，６３間に複数本の弾性部材６４を伸長状態で固定してなる複合シートを用いたが、立体防漏部６は、これに代えて、多種多様な伸縮性シートを用いて形成することができる。
【００３５】
伸縮性シートとして用い得るシート材料としては、伸縮性のフィルム、不織布、織物またはそれらの積層シート等が挙げられる。具体的には、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる材自体が伸縮性を有する材料（フィルム、糸状物、不織布、織物）やこれら伸縮性の材料（弾性部材）と不織布等の積層物等が挙げられる。上記伸縮性フィルムは、表面シートよりも肌対向面側に使用する場合には、肌触りを良好にする為、及びヒートシール性や接着剤による固定性を向上する為に、ポリエチレン／ポリエステル、ポリエチレン／ポリプロピレン、ポリプロピレンからなる熱可塑性不織布と積層し、積層材として用いることが好ましい。この様な熱可塑性不織布は、不織布自身が伸縮性を有する様に、クリンプ加工した繊維を用いることが好ましく、伸び難いクリンプ加工していない不織布を積層する場合においては、積層する前にあらかじめ弾性部材のみを所定の伸張率まで伸張し、不織布材料とホットメルトやヒートシール等によって接着し、伸縮性を発現するシート材料とする様に作成してもよい。
【００３６】
また、上述した各実施形態において、第２中空ループ部８の外壁８３の下端部８３ａは、吸収体４の非肌対向面側に固定されていたが、これに代えて、第２中空ループ部８の外壁８３の下端部８３ａを、吸収体４の側縁より幅方向外方に延出させた裏面シート等に固定することもできる。
また、第１中空ループ部７の内外壁７２，７３の下端７２ａ，７３ａや第２中空ループ部８の内外壁８２，８３の下端８２ａ，８３ａを、接着剤を介して他の部材に固定するのに代えて、ヒートシール、超音波シール、高周波シール等の他の公知の接合手段を用いることもできる。また、接着剤と他の接合手段を併用することもできる。
【００３７】
また、図８に示すように、第１中空ループ部７の外壁７３及び第２中空ループ部８の内壁８２を構成するシート７８を、下端７２ａ，７３ａの位置を超えて更に下方まで延在させ、その延在部分７８により、吸収体４の側面４３を覆わせることもできる。また、図９に示すように、第１中空ループ部７の外壁７３と第２中空ループ部８の内壁８２とは一体化されることなく当接していても良い。
また、立体防漏部は、排泄部領域Ａ及び後方領域Ｂの両者において、図２〜図９に示す断面構造を有していても良いし、排泄部領域Ａ及び後方領域Ｂの何れか一方のみにおいて図２〜図９に示す断面構造を有していても良い。また、排泄部領域Ａと後方領域Ｂとで、立体防漏部の断面構造を異ならせることもできる。また、立体防漏部は、図２〜図９に示す断面構造を、吸収性物品の長手方向の任意の場所に設けることもできる。
【００３８】
また、本発明の吸収性物品は、生理用ナプキン以外の吸収性物品であっても良く、例えば、失禁パッド、パンティライナー（下り物シート）等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００３９】
【図１】第１実施形態の生理用ナプキンを示す斜視図である。
【図２】図１のＩＩ−ＩＩ線断面図である。
【図３】第２実施形態の生理用ナプキンを示す断面図（図２相当図）である。
【図４】第３実施形態の生理用ナプキンを示す断面図（図２相当図）である。
【図５】第４実施形態の生理用ナプキンを示す断面図（図２相当図）である。
【図６】第５実施形態の生理用ナプキンを示す断面図（図２相当図）である。
【図７】第６実施形態の生理用ナプキンを示す断面図（図２相当図）である。
【図８】本発明の更に別の実施形態の生理用ナプキンを示す断面図（図２相当図）である。
【図９】本発明の更に別の実施形態の生理用ナプキンを示す断面図（図２相当図）である。
【符号の説明】
【００４０】
１，１Ａ〜１Ｅ  生理用ナプキン（吸収性物品）
２  表面シート
３  裏面シート
４  吸収体
５  吸収性本体
６  立体防漏部
７  第１中空ループ部
７１  頂部
７２  内壁
７３  外壁
７４  中空部分
７５  共通する隔壁
７６  折り込み接合部
８  第２中空ループ部
８１  頂部
８２  内壁
８３  外壁
８４  中空部分
８５  折り込み接合部
Ａ  排泄部領域
Ｂ  後方領域
ＣＬ  生理用ナプキンの長手方向に延びる中心線
【図１】
2010094269.tif 000003
【図２】
2010094269.tif 000004
【図３】
2010094269.tif 000005
【図４】
2010094269.tif 000006
【図５】
2010094269.tif 000007
【図６】
2010094269.tif 000008
【図７】
2010094269.tif 000009
【図８】
2010094269.tif 000010
【図９】
2010094269.tif 000011